(57)【要約】【課題】集塵ファンを回転駆動するモータを直流電源で駆動することにより、移動操作性を改善する。【解決手段】本体ハウジング２ａと、本体ハウジング２ａに内蔵されるモータ３と、モータ３によって回転駆動される集塵ファン４と、モータへ電力供給を行う直流電源としての電池パック４０を着脱自在に備え、集塵ファン４による排気風で電池パック４０を冷却する。排気風の一部は電池パック４０に接続するための接続端子部２５に吹き付けるようにする。【選択図】図１
2015208577.tif 000002
【特許請求の範囲】
【請求項１】
本体ハウジングと、
前記本体ハウジングに内蔵されるモータと、
前記モータによって回転駆動される集塵ファンと、
前記モータへ電力供給を行う直流電源とを備え、
前記集塵ファンによる排気風で前記直流電源を冷却することを特徴とする集塵機。
【請求項２】
本体ハウジングと、
前記本体ハウジングに内蔵されるモータと、
前記モータによって回転駆動される集塵ファンと、
前記モータによって回転駆動され、前記モータ自身を冷却する自冷ファンと、
前記モータへ電力供給を行う直流電源とを備え、
前記自冷ファンによる吸気又は排気風で前記直流電源を冷却することを特徴とする集塵機。
【請求項３】
本体ハウジングと、
前記本体ハウジングに内蔵されるモータと、
前記モータによって回転駆動される集塵ファンと、
前記本体ハウジングに対して着脱自在に装着される複数個の電池パックとを備え、
前記電池パックから前記モータへ電力供給を行うことを特徴とする集塵機。
【請求項４】
前記集塵ファンによる排気風で前記電池パックを冷却することを特徴とする請求項３に記載の集塵機。
【請求項５】
前記集塵ファンによる排気風及び前記自冷ファンによる吸気又は排気風で前記直流電源を冷却することを特徴とする請求項２に記載の集塵機。
【請求項６】
前記直流電源が前記本体ハウジングに対して着脱自在に装着される１個又は複数個の電池パックであり、前記本体ハウジングの電池パック取付部から前記排気風を排気することを特徴とする請求項１に記載の集塵機。
【請求項７】
前記直流電源が前記本体ハウジングに対して着脱自在に装着される１個又は複数個の電池パックであり、前記本体ハウジングの電池パック取付部から前記吸気又は排気風を吸気又は排気することを特徴とする請求項２又は５に記載の集塵機。
【請求項８】
前記排気風を複数方向に排気することを特徴とする請求項６に記載の集塵機。
【請求項９】
前記吸気又は排気風を複数方向に吸気又は排気することを特徴とする請求項７に記載の集塵機。
【請求項１０】
前記電池パック取付部の接続端子部に向けて前記排気風を排気することを特徴とする請求項６乃至９のいずれか一項に記載の集塵機。
【請求項１１】
前記電池パック内部の冷却空気通路に前記排気風を通すことを特徴とする請求項６乃至９のいずれか一項に記載の集塵機。
【請求項１２】
前記モータは前記直流電源又は交流電源から選択的に電力供給を受けることを特徴とする請求項１乃至１１のいずれか一項に記載の集塵機。
【請求項１３】
前記交流電源の電力により前記直流電源を充電する充電回路を備えることを特徴とする請求項１２に記載の集塵機。
【請求項１４】
前記交流電源から前記モータと前記充電回路とに対して同時に電力を供給可能であることを特徴とする請求項１３に記載に集塵機。
【請求項１５】
前記交流電源からの電力供給と前記直流電源からの電力供給とを選択的に切替えるためのスイッチを有することを特徴とする請求項１２乃至１４のいずれか一項に記載の集塵機。
【請求項１６】
前記スイッチが自動スイッチであり、前記自動スイッチは、前記交流電源が接続されている場合には前記交流電源に基づく電力を前記モータへ供給可能に切替わり、前記交流電源が接続されていない場合には前記直流電源に基づく電力を前記モータへ供給可能に切替わることを特徴とする請求項１５に記載の集塵機。
【請求項１７】
前記モータは交流モータであり、前記直流電源からの電力を昇圧して前記交流モータへ供給することを特徴とする請求項１乃至１６のいずれか一項に記載の集塵機。
【請求項１８】
前記モータは直流モータであり、前記交流電源からの電力を降圧して前記直流モータへ供給することを特徴とする請求項１２乃至１６のいずれか一項に記載の集塵機。
【請求項１９】
前記直流モータはブラシレスモータであることを特徴とする請求項１８に記載の集塵機。
【請求項２０】
前記直流電源からの電力を昇圧する昇圧回路を前記集塵ファンの排気風で冷却する請求項１７に記載の集塵機。
【請求項２１】
前記モータ自身を冷却する自冷ファンの吸気又は排気風で、前記直流電源からの電力を昇圧する昇圧回路を冷却する請求項１７に記載の集塵機。
【請求項２２】
前記交流電源からの電力を降圧する降圧回路を前記集塵ファンの排気風で冷却する請求項１８に記載の集塵機。
【請求項２３】
前記モータ自身を冷却する自冷ファンの吸気又は排気風で、前記交流電源からの電力を降圧する降圧回路を冷却する請求項１８に記載の集塵機。
【発明の詳細な説明】
【技術分野】
【０００１】
本発明は、電池パック等の直流電源をモータの電源として用いることが可能な集塵機に関するものである。
【背景技術】
【０００２】
従来、下記特許文献１に示すような集塵機があり、タンク（ダストケース）の底部にキャスタを設け、かつ電源コードの収納部に電源コードの巻き付けと巻き戻しを作業性良く行えるようにして、移動操作性を改善したものが提案されている。しかしながら、電源コードによる商用交流電源駆動であるため、電源コードの引き回しが避けられず、移動範囲に制約があった。
【先行技術文献】
【特許文献】
【０００３】
【特許文献１】特開２００８−２８４２４１号公報
【発明の概要】
【発明が解決しようとする課題】
【０００４】
本発明はこうした状況を認識してなされたものであり、その目的は、直流電源を利用してモータを駆動することで、移動操作性を改善可能な集塵機を提供することにある。
【課題を解決するための手段】
【０００５】
本発明の第１の態様は集塵機である。この集塵機は、本体ハウジングと、前記本体ハウジングに内蔵されるモータと、前記モータによって回転駆動される集塵ファンと、前記モータへ電力供給を行う直流電源とを備え、前記集塵ファンによる排気風で前記直流電源を冷却することを特徴とする。
【０００６】
本発明の第２の態様も集塵機である。この集塵機は、本体ハウジングと、前記本体ハウジングに内蔵されるモータと、前記モータによって回転駆動される集塵ファンと、前記モータによって回転駆動され、前記モータ自身を冷却する自冷ファンと、前記モータへ電力供給を行う直流電源とを備え、前記自冷ファンによる吸気又は排気風で前記直流電源を冷却することを特徴とする。
【０００７】
本発明の第３の態様も集塵機である。この集塵機は、本体ハウジングと、前記本体ハウジングに内蔵されるモータと、前記モータによって回転駆動される集塵ファンと、前記本体ハウジングに対して着脱自在に装着される複数個の電池パックとを備え、前記電池パックから前記モータへ電力供給を行うことを特徴とする。
【０００８】
前記第３の態様において、前記集塵ファンによる排気風で前記電池パックを冷却するとよい。
【０００９】
前記第２の態様において、前記集塵ファンによる排気風及び前記自冷ファンによる吸気又は排気風で前記直流電源を冷却するとよい。
【００１０】
前記第１の態様において、前記直流電源が前記本体ハウジングに対して着脱自在に装着される１個又は複数個の電池パックであり、前記本体ハウジングの電池パック取付部から前記排気風を排気する構成であるとよい。この場合、前記排気風を複数方向に排気するとよい。
【００１１】
前記第２の態様において、前記直流電源が前記本体ハウジングに対して着脱自在に装着される１個又は複数個の電池パックであり、前記本体ハウジングの電池パック取付部から前記吸気又は排気風を吸気又は排気する構成であるとよい。この場合、前記吸気又は排気風を複数方向に吸気又は排気するとよい。
【００１２】
前記第１又は第２の態様において、電池パックを用いる場合に、前記電池パック取付部の接続端子部に向けて前記排気風を排気するとよい。あるいは、前記電池パック内部の冷却空気通路に前記排気風を通すとよい。
【００１３】
前記第１乃至第３の態様において、前記モータは前記直流電源又は交流電源から選択的に電力供給を受ける構成であるとよい。この場合、前記交流電源の電力により前記直流電源を充電する充電回路を備えるとよい。さらに、前記交流電源から前記モータと前記充電回路とに対して同時に電力を供給可能な構成であるとよい。また、前記交流電源からの電力供給と前記直流電源からの電力供給とを選択的に切替えるためのスイッチを有するとよい。前記スイッチが自動スイッチであり、前記自動スイッチは、前記交流電源が接続されている場合には前記交流電源に基づく電力を前記モータへ供給可能に切替わり、前記交流電源が接続されていない場合には前記直流電源に基づく電力を前記モータへ供給可能に切替わる構成であるとよい。
【００１４】
前記第１乃至第３の態様において、前記モータは交流モータであり、前記直流電源からの電力を昇圧して前記交流モータへ供給する構成であるとよい。この場合、前記直流電源からの電力を昇圧する昇圧回路を前記集塵ファンの排気風で冷却する構成であるとよい。また、前記モータ自身を冷却する自冷ファンの吸気又は排気風で、前記直流電源からの電力を昇圧する昇圧回路を冷却する構成であるとよい。
【００１５】
前記第１乃至第３の態様において、前記モータは直流モータであり、前記交流電源からの電力を降圧して前記直流モータへ供給する構成であるとよい。この場合、前記直流モータはブラシレスモータであるとよい。また、前記交流電源からの電力を降圧する降圧回路を前記集塵ファンの排気風で冷却する構成であるとよい。また、前記モータ自身を冷却する自冷ファンの吸気又は排気風で、前記交流電源からの電力を降圧する降圧回路を冷却する構成であるとよい。
【００１６】
なお、以上の構成要素の任意の組合せ、本発明の表現を方法やシステム等の間で変換したものもまた、本発明の態様として有効である。
【発明の効果】
【００１７】
本発明によれば、集塵ファンを回転駆動するモータを直流電源で駆動することにより、移動操作性を改善することが可能である。
【図面の簡単な説明】
【００１８】
【図１】本発明に係る集塵機の第１の実施の形態を示す一部を断面とした右側面図。
【図２】同じく一部を断面とした要部背面図。
【図３】同じく平面図。
【図４】第１の実施の形態の回路図であって、（Ａ）はコンセントからの電力が交流モータに供給されている状態、（Ｂ）は電池パックからの電力が交流モータに供給されている状態を示す回路図。
【図５】第１の実施の形態の動作を示すフローチャート。
【図６】本発明の第２の実施の形態を示す平面図。
【図７】第２の実施の形態において、電池パックが２個直列に接続され、電池パックからの電力が交流モータに供給されている状態を示す回路図。
【図８】第２の実施の形態において、電池パックが２個並列に接続され、電池パックからの電力が交流モータに供給されている状態を示す回路図。
【図９】第３の実施の形態を示す一部を断面とした右側面図。
【図１０】第３の実施の形態を示す平面図。
【図１１】第４の実施の形態を示す一部を断面とした要部背面図。
【図１２】第５の実施の形態を示す右側面図。
【図１３】第６の実施の形態の回路図であって、（Ａ）はコンセントからの電力が直流モータに供給されている状態、（Ｂ）は電池パックからの電力が直流モータに供給されている状態を示す回路図。
【図１４】第６の実施の形態の動作を示すフローチャート。
【図１５】第７の実施の形態であって、ブラシレスモータを用いる場合の動作を示すフローチャート。
【図１６】第８の実施の形態の回路図であって、（Ａ）は自動電源切替スイッチを介してコンセントからの電力が交流モータに供給されている状態、（Ｂ）は自動電源切替スイッチを介して電池パックからの電力が交流モータに供給されている状態を示す回路図。
【図１７】第８の実施の形態の動作を示すフローチャート。
【図１８】第９の実施の形態の回路図であって、（Ａ）は自動電源切替スイッチを介してコンセントからの電力が直流モータに供給されている状態、（Ｂ）は自動電源切替スイッチを介して電池パックからの電力が直流モータに供給されている状態を示す回路図。
【図１９】第１０の実施の形態であって、モータ駆動と並行して充電を行う動作を示すフローチャート。
【図２０】本発明の各実施の形態において使用する電池パックの一例であって、（Ａ）は挿入側（前側）よりみた斜視図、（Ｂ）は後側よりみた斜視図。
【図２１】本発明の応用例であって、集塵機とコードレス集塵丸鋸とを連動させた構成を示す説明図である。
【発明を実施するための形態】
【００１９】
以下、図面を参照しながら本発明の好適な実施の形態を詳述する。なお、各図面に示される同一又は同等の構成要素、部材、処理等には同一の符号を付し、適宜重複した説明は省略する。また、実施の形態は発明を限定するものではなく例示であり、実施の形態に記述されるすべての特徴やその組み合わせは必ずしも発明の本質的なものであるとは限らない。
【００２０】
図１乃至図５を用いて本発明に係る集塵機の第１の実施の形態を説明する。これらの図において、集塵機１は、本体ハウジング（ヘッドカバー）２ａと、その内側に配置、固定される電動モータ３と、モータ３で回転駆動されて粉塵を吸引する遠心形集塵ファン４とを有する本体（ヘッド）２と、粉塵の吸込口（ホース取付口）１１を側面部に有するとともに上方に開口し、前記開口に本体２が配置される有底ダストケース１０とを備える。本体２は有底ダストケース１０の上部開口を本体ハウジング２ａで塞ぐ配置であって、ダストケース１０に対して着脱自在であり、本体ハウジング２ａは集塵ファン４で吸引された空気を排出する排気口５ａ，５ｂ，５ｃを有している（図１及び図２参照）。ダストケース１０は粉塵を貯留する内部空間を有している。
【００２１】
モータ３は、本体ハウジング２ａに対してその出力軸が鉛直方向下方となるように配設され、モータ出力軸に遠心形集塵ファン４が直結され、集塵ファン４の吸気口６を本体ハウジング２ａの下面中心部に設けている。集塵ファン４の回転に伴う空気流は図１中に実線矢印Ｐで示し、排気風の一部は図４で後述するインバータ３０及び充電回路３１を通過して、これらを冷却する。集塵ファン４の排気風の多くは排気口５ａ，５ｂ，５ｃから排気される。なお、本体ハウジング２ａの排気口５ｂ，５ｃ形成部分の内側には排気フィルタ９が配設されている。
【００２２】
モータ３の集塵ファン取付側の反対側出力軸には自冷ファン７が直結され、この自冷ファン７は本体ハウジング２ａの別の位置に設けた吸気口８（図１の排気口５ａとは異なる断面位置に形成されている）から空気を吸引（吸気）し、モータ３自体を経由し排気口５ｂ，５ｃから排気する。自冷ファン７の回転に伴う空気流は図１中に点線矢印Ｑで示す。図１の場合、自冷ファン７による吸気風はインバータ３０及び充電回路３１を通過して、これらを冷却する。
【００２３】
ダストケース１０には粉塵の吸込口１１が形成され、またダストケース１０の内側には、本体２側の集塵ファン４との間を仕切るように、フィルタ装置１２が配置される。吸込口１１には集塵ホース３５が着脱自在に連結される。フィルタ装置１２は、筒状フィルタ１３をトップカバー１４とボトムカバー１５とによって挟んで保持したものであり、トップカバー１４の外縁部が、本体ハウジング２ａの下面外周部に設けられたシールパッキン１６とダストケース１０の上縁外周部間に挟まれ、本体ハウジング２ａとダストケース１０とが図示されていないクランプ等により締結されることによって、圧着かつ密閉される。
【００２４】
また、集塵機１を運搬するために、本体ハウジング２ａ上部に回転自在に軸支されたハンドル１８が設けられている。
【００２５】
本実施の形態では、図４（Ａ）,（Ｂ）に示すように、モータ３は交流モータ３Ａで構成されており、図１の本体２に設けられた操作パネル部１７に配置されたスイッチ２１及び手動電源切替スイッチ（ＳＷ）２０を介してモータ３Ａは、商用交流電源（コンセント）に接続するための電源コード１９に接続可能である。電源コード１９は本体２から引き出されている。また、交流モータ３Ａは操作パネル部１７に配置されたスイッチ２１及び手動電源切替スイッチ２０、本体２内の適所に配置されたインバータ３０を介して直流電源としての電池パック４０にも接続可能である。この場合、インバータ３０は電池パック４０の直流電圧を交流電圧に変換し、かつ交流モータ３Ａの動作電圧にまで昇圧する昇圧回路としての機能を有するものである。また、電池パック４０は本体２内の適所に配置された充電回路３１を介して電源コード１９に接続されており、電源コード１９を通して供給される交流電力により交流モータ３Ａが駆動中でも電池パック４０を所要電圧値の直流電力で充電可能である。なお、充電回路３１には電池パック４０の過充電を防止する保護回路が設けられている。
【００２６】
なお、図示は省略したが、本体ハウジング２ａには、商用交流電源と直流電源（電池パック４０）のうちのいずれが交流モータ３Ａへ電力を供給しているのかを視認可能な駆動電源表示ランプが設けられている。また、装着されている電池パック４０の残量を表示する電池残量ランプも本体ハウジング２ａに設けられている。
【００２７】
電池パック４０は、図１乃至図３に示すように、例えば本体ハウジング２ａの上部の凹部である電池パック取付部２ｂに対して着脱自在に装着可能であり、電池パック取付部２ｂには接続端子部２５が配置される。図１の場合、電池パック４０はその底面が下向きとなるように電池パック取付部２ｂに配置され、本体２側の接続端子部２５は電池パック取付部２ｂの底面に露出するように本体ハウジング２ａに固定されている。
【００２８】
電池パック４０は例えば図２０（Ａ）,（Ｂ）に示す外観（但し、底面が上向き）であり、電池ケース４１内に１本若しくは複数本の二次電池（充電池）を内蔵したものである。電池ケース４１の底面には複数のスリット溝４２が形成され、ここに本体２側の接続端子部２５と電気接続可能な接続端子４３が配置されている。また、電池ケース４１の正面には、内部の電池を冷却するための冷却空気通路の第１の開口（空気取入・排出口）４４が、底面には第２の開口（空気取入・排出口）４５が設けられ、両者は電池ケース４１内部を通過する冷却空気通路（吸／排気通路）で繋がっている。電池ケース４１の左右側面の電池パック取付ボタン４６を操作することにより電池パック４０を本体ハウジング２ａの電池パック取付部２ｂに着脱自在に装着できるようになっている。
【００２９】
図２に示すように、電池パック４０が配置される電池パック取付部２ｂには多数のスリット孔からなる排気口５ｂ，５ｃが異なる方向に開口している。すなわち、排気口５ｂは電池パック取付部２ｂの電池パック４０の正面に対向する面に開口し、排気口５ｃは電池パック４０の左右側面に対向する面に開口している。図１の矢印Ｐ＋Ｑに示すように、排気口５ｂからの排気風は電池パック４０の正面の第１の開口４４から電池パック４０内に入り、内部の冷却空気通路を通って電池パック内部を冷却してから第２の開口４５から排気される。また、排気口５ｃからの排気風は電池パック４０の両側面に当たって電池ケース４１を冷却する。
【００３０】
図５は第１の実施の形態における手動操作フローであって、交流電源使用を優先する場合を示す。集塵機１を使用する際に、集塵機１のユーザーは、まず集塵機１の電源コード１９が交流電源のコンセントに差し込み可能か（ＡＣ１００Ｖが在るか）否かを判断し（Ｓ１）、差し込み可能であれば（Ｓ１：ＹＥＳ）、ユーザーは電源コード１９をコンセントに差し込み、図４（Ａ）のように集塵機が交流電源の供給を受けることができる側に電源切替スイッチ２０を切り替える（Ｓ２）。そして、ユーザーがスイッチ２１を通電側に操作することにより（Ｓ３）、交流モータ（ＡＣモータ）３Ａが駆動し、集塵ファン４が回転する。
【００３１】
電源コード１９をコンセントに差し込み不能であれば（Ｓ１：ＮＯ）、次に電池パック４０が電池パック取付部２ｂに取り付けられているか（充電池が在るか）否かを判断する（Ｓ４）。電池パック４０が取り付けられていれば、ユーザーは、図４（Ｂ）のように集塵機が直流電源の供給を受けることができる側に電源切替スイッチ２０を切り替える（Ｓ５）。このことにより直流電力がインバータ３０により交流電力に変換可能な状態となり（Ｓ６）、ユーザーがスイッチ２１を通電操作することにより（Ｓ３）、交流モータ３Ａが駆動し、集塵ファン４が回転する。
【００３２】
上記のように集塵ファン４の回転により発生する吸込み力により集塵機１のダストケース１０の内側部が負圧になる。これにより、空気と粉じんは、集塵ホース３５を介し、吸込口１１からダストケース１０の内部に吸引され、フィルタ装置１２によって、粉じんと空気に分離され、粉じんはフィルタ装置１２の筒状フィルタ１３外周面で捕集され、空気はフィルタ１３を通過してフィルタ装置１２の内側部を通り、本体ハウジング２ａ内部に吸引される。フィルタ装置１２の外周面で捕集された粉じんは自然落下し、ダストケース１０内部に収納される。本体ハウジング２ａ内部に吸引された空気は排気フィルタ９を介して電池パック取付部２ｂに設けられた排気口５ｂ，５ｃから電池パック４０、接続端子部２５に向かって排気される。電池パック４０が電池パック取付部２ｂに取り付けられている場合は、排気された空気は電池パック４０の第１の開口４４、冷却空気通路及び第２の開口４５の経路で通り抜け、電池パック４０を効果的に冷却する。電池パック４０が電池パック取付部２ｂに取り付けられていない場合で交流電源駆動のときは、排気風は接続端子部２５に吹き付けられ接続端子部２５のほこり等を吹き飛ばす。
【００３３】
本実施の形態によれば、下記の効果を奏することができる。
【００３４】
(1) 商用交流電源又は直流電源としての電池パック４０から選択的に電力供給を受け、モータ３の駆動に適した電力を該モータに供給可能であり、移動操作性を改善可能である。
【００３５】
(2) 商用交流電源を利用可能としたことで、電池パック４０の有無にかかわらず集塵ファン４の排気風及び自冷ファン７の吸、排気風を発生させ、これらによって電池パック４０やインバータ３０、充電回路３１を冷却し、発熱を抑制可能である。また、電池パック取付部２ｂへの排気風の吹き付けが可能である。
【００３６】
(3) 電池パック４０を着脱自在に装着する部分である電池パック取付部２ｂの異なる向きに排気口５ｂ，５ｃを設けることで、排気口５ｂ，５ｃから排出される排気風を電池パック４０に向けて複数方向から排出可能であり、良好な冷却効果を得ることができる。また、排気風を電池パック４０内部の冷却空気通路に通すことで、電池パック４０の内部を効率的に冷却可能である。
【００３７】
(4) 電池パック取付部２ｂに電池パック４０が装着されていないときは、排気口５ｂ，５ｃからの複数方向の排気風は接続端子部２５に向けて吹き付けられ、接続端子部２５に付着しているほこり等を排除できる。この結果、接続端子部２５にほこり等が付着することに起因する電池パック４０との間の接触不良や短絡故障等を未然に防止できる。また、接続端子部２５にほこり等が付着しないようにカバーを設けることも不要となり、部品点数の増加を招くことがない。
【００３８】
(5) 電池パック４０は本体２内の充電回路３１を介して電源コード１９に接続されており、電源コード１９を通して供給される交流電力により交流モータ３Ａが駆動中でも電池パック４０を所要電圧値の直流電力で充電可能である。
【００３９】
(6) 他の１種類以上の工具にも使用可能な互換性のある電池パック４０を使用可能である。
【００４０】
図６乃至図８で本発明の第２の実施の形態を説明する。この第２の実施の形態は、第１の実施の形態とは電池パック４０の個数が異なっている。つまり、集塵機１の本体２の本体ハウジング２ａには２箇所の電池パック取付部２ｂが設けられており、各々の電池パック取付部２ｂに電池パック４０が着脱自在に装着可能である。２箇所の電池パック取付部２ｂは本体２内のモータ３を挟む配置であり、電池パック２個配置にもかかわらず集塵機１の左右方向の寸法をコンパクトにしている。
【００４１】
図７は第２の実施の形態において、電池パック４０が２個直列に接続され、電池パック４０からの電力がインバータ３０を介して交流モータ３Ａに供給されている状態を示す回路図、図８は第２の実施の形態において、電池パック４０が２個並列に接続され、電池パック４０からの電力がインバータ３０を介して交流モータ３Ａに供給されている状態を示す回路図である。
【００４２】
その他の構成は第１の実施の形態と同様であり、図５の手動操作フローに従って、交流電源又は直流電源としての電池パック４０を選択的に使用可能である。
【００４３】
この第２の実施の形態によれば、直流電源たる複数の電池パック４０を接続可能であるため、１つの電池パック４０で駆動する場合と比較して大きな電力でモータ３Ａを駆動させることができ、又は長い時間モータ３Ａを駆動させることができる。
【００４４】
図９及び図１０で本発明の第３の実施の形態を説明する。この第３の実施の形態は、第１の実施の形態とは電池パック４０の個数及び装着姿勢が異なっている。つまり、集塵機１の本体２の本体ハウジング２ａには電池パック取付部２ｂが設けられているが、電池パック４０の装着姿勢はその長手方向が上下方向を向いている（電池パック４０の底面が上下方向を向いている）。電池パック取付部２ｂに対し着脱自在な電池パック４０は本体２内のモータ３の側方に並列配置されており、かつ電池パック２個を縦置きとしたことで集塵機１の本体２の左右方向の寸法をコンパクトにしている。電池パック４０を２個直列に接続する場合は図７の回路、並列に接続する場合は図８の回路を使用可能である。なお、図９中、集塵ファン４の回転に伴う空気流は実線矢印Ｐで示し、自冷ファン７の回転に伴う空気流は点線矢印Ｑで示す。
【００４５】
その他の構成は第１の実施の形態と同様であり、図５の手動操作フローに従って、交流電源又は直流電源としての電池パック４０を選択的に使用可能である。
【００４６】
図１１で本発明の第４の実施の形態を説明する。この第４の実施の形態は、第１の実施の形態とは電池パック４０の個数及び装着姿勢が異なっている。つまり、集塵機１の本体２の本体ハウジング２ａには２箇所の電池パック取付部２ｂが設けられているが、電池パック４０の装着姿勢は横倒し状態で長手方向が前後方向を向いている（電池パック４０の底面が本体ハウジング２ａの左右側面に対向している）。各々の電池パック取付部２ｂに対し着脱自在な電池パック４０は本体２内のモータを挟む配置として、集塵機１の左右方向の寸法をコンパクトにしている。また、電池パック４０の底面を本体ハウジング２ａの左右側面に対向させて装着することで、本体ハウジング２ａの左右側面の排気口５ｃからの排気風を電池パック４０の底面に設けた開口（図２０（Ａ）,（Ｂ）の第２の開口４５）に向けて排気し、排気風を電池パック４０内部の冷却空気通路に通すことで、電池パック４０の内部を冷却可能である。電池パック４０を２個直列に接続する場合は図７の回路、並列に接続する場合は図８の回路を使用可能である。
【００４７】
その他の構成は第１の実施の形態と同様であり、図５の手動操作フローに従って、交流電源又は直流電源としての電池パック４０を選択的に使用可能である。
【００４８】
図１２で本発明の第５の実施の形態を説明する。この第５の実施の形態は、第１の実施の形態とは電池パック４０の装着姿勢が異なっている。つまり、集塵機１の本体２の本体ハウジング２ａには電池パック取付部２ｂが設けられているが、電池パック４０の装着姿勢はその底面が上向きとなっている。そして、電池パック取付部２ｂの天井面の下側に接続端子部２５が下向きで固定されている。このため、接続端子部２５にほこり等が付着しにくい配置となっている。
【００４９】
その他の構成は第１の実施の形態と同様であり、図５の手動操作フローに従って、交流電源又は直流電源としての電池パック４０を選択的に使用可能である。
【００５０】
図１３（Ａ）,（Ｂ）及び図１４で本発明の第６の実施の形態を説明する。第６の実施の形態では、交流モータ３Ａに代えて直流モータ３Ｂが用いられている点、インバータ３０に代えてＡＣ／ＤＣコンバータ３２が用いられている点で第１の実施の形態と異なる。これ以外は第１の実施の形態と同様である。ＡＣ／ＤＣコンバータ３２は商用交流電源のＡＣ１００Ｖを直流モータ３Ｂの動作に適した直流電圧に降圧する降圧回路としての機能を有する。
【００５１】
直流モータ３Ｂは図１の操作パネル部１７に配置されたスイッチ２１、手動電源切替スイッチ（ＳＷ）２０を介して電池パック４０に接続可能である。また、直流モータ３Ｂは操作パネル部１７に配置されたスイッチ２１、手動電源切替スイッチ２０、本体内の適所に配置されたＡＣ／ＤＣコンバータ３２を介して電源コード１９にも接続可能である。また、電池パック４０は本体内の適所に配置された充電回路３１を介して電源コード１９に接続されており、電源コード１９を通して供給される電力により直流モータ３Ｂが駆動中でも電池パック４０を充電可能である。
【００５２】
なお、ＡＣ／ＤＣコンバータ３２は第１の実施の形態におけるインバータ３０と同様に集塵ファン４の排気風及び自冷ファン７の吸、排気風で冷却する構造とする。
【００５３】
図１４は第６の実施の形態における手動操作フローであって、直流電源使用を優先する場合を示す。図１の集塵機１を使用する際に、集塵機１のユーザーは、まず電池パック４０が電池パック取付部２ｂに取り付けられているか（充電池が在るか）否かを判断し（Ｓ１１）、取り付けられていれば（Ｓ１１：ＹＥＳ）、ユーザーは、図１３（Ｂ）のように集塵機が直流電源の供給を受けることができる側に電源切替スイッチ２０を切り替える（Ｓ１２）。そして、ユーザーがスイッチ２１を操作することにより（Ｓ１３）、直流モータ（ＤＣモータ）３Ｂが駆動し、集塵ファン４が回転する。
【００５４】
電池パック４０が電池パック取付部２ｂに取り付けられていなければ（Ｓ１１：ＮＯ）、次に電源コード１９がコンセントに差し込み可能か（ＡＣ１００Ｖが在るか）否かを判断する（Ｓ１４）。差込可能であれば（Ｓ１４：ＹＥＳ）、ユーザーは、電源コード１９をコンセントに差し込み、図１３（Ａ）のように集塵機１が交流電源の供給を受けることができる側に電源切替スイッチ２０を切り替える（Ｓ１５）。このことにより交流電力がＡＣ／ＤＣコンバータ３２により直流電力に切り替え可能な状態となり（Ｓ１６）、ユーザーがスイッチ２１を操作することで（Ｓ１３）、直流モータ３Ｂが駆動し、集塵ファン４が回転する。
【００５５】
図１５を用いて本発明の第７の実施の形態について説明する。第７の実施の形態では、図４のモータ３として交流ブラシレスモータが用いられ、さらにモータ制御用インバータが付加されている点で第１の実施の形態と異なる。これ以外は第１の実施の形態と同様である。
【００５６】
集塵機１を使用する際に、集塵機のユーザーは、まず集塵機１の電源コード１９がコンセントに差し込み可能か（ＡＣ１００Ｖが在るか）否かを判断し（Ｓ２１）、差し込み可能であれば（Ｓ２１：ＹＥＳ）、ユーザーは電源コード１９をコンセントに差し込み、集塵機が交流電源の供給を受けることができる側に電源切替スイッチ（ＳＷ）２０を切り替える（Ｓ２２）。するとモータ制御用インバータによるブラシレスモータの制御が可能な状態となり（Ｓ２３）、ユーザーがスイッチ２１を操作することにより（Ｓ２４）、交流（ＡＣ）ブラシレスモータが駆動し、集塵ファン４が回転する。
【００５７】
電源コード１９をコンセントに差し込み不能であれば（Ｓ２１：ＮＯ）、次に電池パック４０が電池パック取付部２ｂに取り付けられているか（充電池があるか）否かを判断する（Ｓ２５）。電池パック４０が取り付けられていれば（Ｓ２５：ＹＥＳ）、ユーザーは、集塵機が直流電源の供給を受けることができる側に電源切替スイッチ２０を切り替える（Ｓ２６）。このことにより直流電力がインバータ３０により交流電力に切り替え可能な状態となり（Ｓ２７）、また、モータ制御用インバータによるブラシレスモータの制御が可能な状態となり（Ｓ２３）、ユーザーがスイッチ２１を操作することにより（Ｓ２４）、交流ブラシレスモータが駆動し、集塵ファン４が回転する。
【００５８】
この第７の実施の形態によれば、ブラシレスモータの採用により、集塵機の本体部分の小型化を図ることができる。
【００５９】
図１６（Ａ）,（Ｂ）及び図１７で本発明の第８の実施の形態を説明する。第８の実施の形態では、手動スイッチ２０に代えて自動電源切替スイッチ（ＳＷ）２２が用いられている点で第１の実施の形態と異なる。これ以外は第１の実施の形態と同様である。
【００６０】
自動電源切替スイッチ２２はスイッチ部２２Ａとスイッチ部操作部２２Ｂとにより構成されており、第１実施の形態の手動スイッチ２０に代えてスイッチ部２２Ａが設けられ、スイッチ部操作部２２Ｂは電源コード１９及びスイッチ部２２Ａに電気的に接続されている。スイッチ部操作部２２Ｂにより電源コード１９がコンセントに接続されているか（ＡＣ１００Ｖが在るか）否かを自動的に判断し、判断結果に応じて自動的にスイッチ部２２Ａの切り替えを行うことができる。
【００６１】
図１７の動作フローにおいて、集塵機１を使用する際に、集塵機のユーザーは、まず集塵機１の電源コード１９がコンセントに差し込み可能か（ＡＣ１００Ｖが在るか）否かを判断し（Ｓ３１）、差し込み可能であれば（Ｓ３１：ＹＥＳ）、ユーザーは電源コード１９をコンセントに差し込み、自動電源切替スイッチ（ＳＷ）２２におけるスイッチ部操作部２２Ｂは、図１６（Ａ）のように集塵機１が交流電源の供給を受けることができる側にスイッチ部２２Ａを自動的に切り替える（Ｓ３２）。そして、ユーザーがスイッチ２１を操作することにより（Ｓ３３）、交流モータ（ＡＣモータ）３Ａが駆動し、集塵ファン４が回転する。
【００６２】
電源コード１９をコンセントに差し込み不能であれば（Ｓ３１：ＮＯ）、次に電池パック４０が電池パック取付部２ｂに取り付けられているか（充電池が在るか）否かを判断する（Ｓ３４）。電池パック４０が取り付けられていれば（Ｓ３４：ＹＥＳ）、自動電源切替スイッチ（ＳＷ）２２におけるスイッチ部操作部２２Ｂが、図１６（Ｂ）のように集塵機が直流電源の供給を受けることができる側にスイッチ部２２Ａを自動的に切り替える（Ｓ３５）。このことにより直流電力がインバータ３０により交流電力に切り替え可能な状態となり（Ｓ３６）、ユーザーがスイッチ２１を操作することにより（Ｓ３３）、交流モータ３Ａが駆動し集塵ファン４が回転する。
【００６３】
本発明の第８の実施の形態によれば、スイッチ部２２Ａとスイッチ部操作部２２Ｂとからなる自動電源切替スイッチ２２を有するため、集塵機のユーザーが第１の実施の形態等における手動スイッチ２０の切替えを行わずに済み、集塵機の操作性を高めることができる。
【００６４】
また、自動電源切替スイッチ（ＳＷ）２２は、電源コード１９が交流電源に接続されている場合には交流電源に基づく電力をモータ３Ａへ供給可能に切替わり、交流電源が接続されていない場合には、直流電源としての電池パック４０に基づく電力をモータ３Ａへ供給可能に切替わるため、直流電源と交流電源との両方を利用可能な状態な時に交流電源を優先的に利用することができる。
【００６５】
図１８（Ａ）,（Ｂ）で本発明の第９の実施の形態を説明する。第９の実施の形態では、手動スイッチ２０に代えて自動電源切替スイッチ（ＳＷ）２２が用いられている点で第６の実施の形態（図１３）と異なる。これ以外は第６の実施の形態と同様である。
【００６６】
自動電源スイッチ２２は第８の実施の形態と同様にスイッチ部２２Ａとスイッチ部操作部２２Ｂとにより構成されており、第６実施の形態の手動スイッチ２０に代えてスイッチ部２２Ａが設けられ、スイッチ部操作部２２Ｂは電源コード１９及びスイッチ部２２Ａに電気的に接続されている。スイッチ部操作部２２Ｂにより自動的にスイッチ部２２Ａの切り替えを行うことができ、図１８（Ａ）のように交流電源を選択して、あるいは同図（Ｂ）のように直流電源としての電池パック４０を選択して直流モータ３Ｂを駆動可能である。
【００６７】
図１９で本発明の第１０の実施の形態について説明する。図１９の動作フローは、商用交流電源からの電力の供給により交流モータ３Ａが駆動している最中に電池パック４０の充電を行うように制御をする点で第１の実施の形態の図５の動作フローと異なる。これ以外は第１の実施の形態と同様である。
【００６８】
集塵機１を使用する際に、集塵機１のユーザーは、まず電池パック取付部２ｂに電池パック４０が取り付けられているか（充電池在るか）否かを判断する（Ｓ４１）。取り付けられていれば（Ｓ４１：ＹＥＳ）、電池パック４０の残量があるか否かを判断する（Ｓ４２）。電池パック４０の残量があれば（Ｓ４２：ＹＥＳ）、次に、ユーザーは、集塵機が直流電源の供給を受けることができる側に電源切替スイッチ（ＳＷ）２０を切り替える（Ｓ４３）。このことにより直流電力がインバータ３０により交流電力に切り替え可能かつ昇圧可能な状態となり（Ｓ４４）、ユーザーがスイッチ２１を操作することにより（Ｓ４９）、交流モータ（ＡＣモータ）３Ａが駆動し集塵ファン４が回転する。
【００６９】
電池パック４０が取り付けられていなければ（Ｓ４１：ＮＯ）、次に、集塵機１の電源コード１９がコンセントに差し込み可能か（ＡＣ１００Ｖ在るか）否かを判断し（Ｓ４７）、差し込み可能であれば（Ｓ４７：ＹＥＳ）、ユーザーは電源コード１９をコンセントに差し込み、集塵機が交流電源の供給を受けることができる側に電源切替スイッチ（ＳＷ）２０を切り替える（Ｓ４８）。そして、ユーザーがスイッチ２１を操作することにより（Ｓ４９）、交流モータ３Ａが駆動し、集塵ファン４が回転する。
【００７０】
次に、電池パック４０の残量がない場合には（Ｓ４２：ＮＯ）、次に、集塵機１の電源コード１９がコンセントに差し込み可能か（ＡＣ１００Ｖ在るか）否かを判断し（Ｓ４５）、差し込み可能であれば（Ｓ４５：ＹＥＳ）、ユーザーは電源コード１９をコンセントに差し込むことにより、電池パック４０の充電（充電池充電）が行われる（Ｓ４６）。次に、集塵機が交流電源の供給を受けることができる側に電源切替スイッチ２０を切り替える（Ｓ４８）。そして、ユーザーがスイッチ２１を操作することにより（Ｓ４９）、交流モータ３Ａが駆動し、集塵ファン４が回転する。
【００７１】
この第１０実施の形態によれば、モータ３Ａと充電回路３１とに対して同時に電力を供給可能であるため、商用交流電源を用いてモータ３Ａを駆動して集塵作業すると同時に電池パック４０を充電することができる。
【００７２】
図２１は本発明の応用例であって、本発明の集塵機１と集塵機能付工具としての集塵丸鋸５０とを連動させる場合を示す。集塵機１と集塵丸鋸５０は集塵ホース３５で繋がっており、集塵丸鋸５０は相手材６０の上に配置され作業を始める直前の状態を表している。この後、集塵機１と丸鋸５０を起動させて作業を始めると、丸鋸５０は相手材を切断しつつ図２１の右方向に進んでいき、この時、切断時の切粉は周囲に飛散することなく集塵ホース３５を通して集塵機１に収集される。
【００７３】
この応用例によれば、以下の効果を得ることができる。
【００７４】
(1)  集塵機１及び集塵丸鋸５０の両方ともにコードレスで動作可能であり、場所を選ばず作業できる。
【００７５】
(2)  集塵丸鋸５０が電池切れになっても集塵機１の電池パック４０と交換することですぐに作業を再開できる。
【００７６】
(3)  電池切れの電池パック４０を集塵機１で充電（商用交流電源駆動時）でき、更に作業性が向上する。
【００７７】
以上、実施の形態を例に本発明を説明したが、実施の形態の各構成要素や各処理プロセスには請求項に記載の範囲で種々の変形が可能であることは当業者に理解されるところである。以下、変形例について触れる。
【００７８】
上記各実施の形態では、集塵ファン４及び自冷ファン７の排気で直流電源としての電池パック４０を冷却したが、自冷ファン７の吸気風で直流電源としての電池パック４０を冷却する（例えば、電池パック内部の冷却空気通路に吸気風を通過させる）構成としてもよい。この場合、複数方向の吸気風で電池パックを冷却してもよい。
【００７９】
直流電源としての電池パックとしては、スライドさせて本体に装着するスライド式のものや、本体に差し込んで装着する差込式のもの等があるが、上記各実施の形態の場合、いずれの構造の電池パックであっても差し支えない。また、電池パックが過放電状態にならないように保護回路を有する構成としてもよい。また、電池パックの配置を種々変更することにより、集塵機の本体の外形寸法を自在に変形でき、また、電池パック取付方向（姿勢）も自在に変更可能である。さらに、電池パックを複数（２個以上）使用する場合、電池パックを電気的に直列接続したり、並列接続することにより、集塵機の吸込み力、又は、使用可能時間等を自由に設定できる。
【００８０】
その他、各構成部材の材質、形状、数量、配置等についても、本発明の目的を達成することが可能な範囲において、適宜変更することができる。
【符号の説明】
【００８１】
１  集塵機
２  本体
２ａ  本体ハウジング
２ｂ  電池パック取付部
３  モータ
４  集塵ファン
５ａ．５ｂ，５ｃ  排気口
６  吸気口
７  自冷ファン
１０  ダストケース
１１  吸込口
１２  フィルタ装置
１７  操作パネル部
１９  電源コード
２０  手動電源切替スイッチ
２１  スイッチ
２２  自動電源切替スイッチ
２２Ａ  スイッチ部
２２Ｂ  スイッチ部操作部
２５  接続端子部
３０  インバータ
３１  充電回路
３２  ＡＣ／ＤＣコンバータ
３５  集塵ホース
４０  電池パック
４３  接続端子
４４，４５  開口
【図１】
2015208577.tif 000003
【図２】
2015208577.tif 000004
【図３】
2015208577.tif 000005
【図４】
2015208577.tif 000006
【図５】
2015208577.tif 000007
【図６】
2015208577.tif 000008
【図７】
2015208577.tif 000009
【図８】
2015208577.tif 000010
【図９】
2015208577.tif 000011
【図１０】
2015208577.tif 000012
【図１１】
2015208577.tif 000013
【図１２】
2015208577.tif 000014
【図１３】
2015208577.tif 000015
【図１４】
2015208577.tif 000016
【図１５】
2015208577.tif 000017
【図１６】
2015208577.tif 000018
【図１７】
2015208577.tif 000019
【図１８】
2015208577.tif 000020
【図１９】
2015208577.tif 000021
【図２０】
2015208577.tif 000022
【図２１】
2015208577.tif 000023